(57)【要約】【課題】  現金のように属人性がなく、人から人への受け渡しを手軽に行うことが可能であり、価値の分割や統合を利用者が自由に行うことができ、利用者にとってさらに柔軟なキャッシュレスな取引システムを提供する。【解決手段】  コインに設けられているＩＣチップ内の情報を読み取り、書き込み、コインは真正でないと判断すると、コイン投入／排出口からコインを排出し、コインは真正であると認証すると、コインに設けられているＩＣチップのデータ用メモリに記録されている価値情報を読み取り、投入されたｎ枚のコインの価値情報Ｙ１、Ｙ２、…、Ｙｎの合計Ｙと購入者へ渡すおつりの額Ｚとを計算し、表示し、ｎ枚のコインの価値情報の合計がおつりの額Ｚと同じになるように、ｎ枚のコインに価値情報を設定する。【選択図】  図１
2005338939.tif 000002
【特許請求の範囲】
【請求項１】
ＩＣチップを内蔵するコインを投入／排出するコイン投入／排出口と；
上記コインに設けられている上記ＩＣチップ内の情報を読み取り、書き込むＩＣリーダ／ライタと；
上記コインを認証するコイン認証手段と；
所定のメモリと；
ディスプレイと；
上記認証手段が、上記コインは真正でないと判断すると、上記コイン投入／排出口から上記コインを排出し、上記コインは真正であると認証すると、上記コインに設けられている上記ＩＣチップのデータ用メモリに記録されている価値情報を読み取り、上記メモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御手段と；
おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定手段と；
を有することを特徴とする電子的価値移行装置。
【請求項２】
請求項１において、
上記制御手段は、
投入されている上記コインの価値移行後における価値情報を、Ｃ１、Ｃ２、…、Ｃｎとし、価値情報Ｃ１に、おつりの額Ｚを与え、価値情報Ｃ２、…、Ｃｎには、０を与え、上記おつりの額Ｚが０でない場合、ユーザの入力を受け付け、必要であれば、Ｃ１＋Ｃ２＋…＋Ｃｎ＝Ｚとなるように、Ｃ１、Ｃ２、…、Ｃｎを入力させた後に、価値情報Ｙ１を、価値情報Ｃ１に書き換え、価値情報Ｙ２を、価値情報Ｃ２に書き換え、…のように、上記ＩＣリーダ／ライタ２２を介して、各上記コイン内のＩＣチップのデータ用メモリを書き換え、上記電子的価値移行装置の価値情報Ｑについて、支払い代金Ｘを加算したものを、新たな価値情報Ｑとして記録する手段であることを特徴とする電子的価値移行装置。
【請求項３】
ＩＣチップを内蔵するコインに設けられているＩＣチップ内の情報を、ＩＣリーダ／ライタが読み取り、書き込む段階と；
上記コインを、コイン認証手段が認証するコイン認証段階と；
上記認証手段が、上記コインは真正でないと判断すると、コイン投入／排出口から上記コインを排出し、上記コインは真正であると認証すると、上記コインに設けられている上記ＩＣチップのデータ用メモリに記録されている価値情報を、上記ＩＣリーダ／ライタが読み取り、所定のメモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御段階と；
おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定段階と；
を有することを特徴とする電子的価値移行方法。
【請求項４】
請求項３において、
上記制御段階は、
投入されている上記コインの価値移行後における価値情報を、Ｃ１、Ｃ２、…、Ｃｎとし、価値情報Ｃ１に、おつりの額Ｚを与え、価値情報Ｃ２、…、Ｃｎには、０を与え、上記おつりの額Ｚが０でない場合、ユーザの入力を受け付け、必要であれば、Ｃ１＋Ｃ２＋…＋Ｃｎ＝Ｚとなるように、Ｃ１、Ｃ２、…、Ｃｎを入力させた後に、価値情報Ｙ１を、価値情報Ｃ１に書き換え、価値情報Ｙ２を、価値情報Ｃ２に書き換え、…のように、上記ＩＣリーダ／ライタ２２を介して、各上記コイン内のＩＣチップのデータ用メモリを書き換え、電子的価値移行装置の価値情報Ｑについて、支払い代金Ｘを加算したものを、新たな価値情報Ｑとして記録する段階であることを特徴とする電子的価値移行方法。
【請求項５】
ＩＣチップを内蔵するコインに設けられているＩＣチップ内の情報を、ＩＣリーダ／ライタが読み取り、書き込む手順と；
上記コインを、コイン認証手段が認証するコイン認証手順と；
上記認証手段が、上記コインは真正でないと判断すると、コイン投入／排出口から上記コインを排出し、上記コインは真正であると認証すると、上記コインに設けられている上記ＩＣチップのデータ用メモリに記録されている価値情報を、上記ＩＣリーダ／ライタが読み取り、所定のメモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御手順と；
おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定手順と；
をコンピュータに実行させるプログラム。
【請求項６】
請求項５において、
上記制御手順は、
投入されている上記コインの価値移行後における価値情報を、Ｃ１、Ｃ２、…、Ｃｎとし、価値情報Ｃ１に、おつりの額Ｚを与え、価値情報Ｃ２、…、Ｃｎには、０を与え、上記おつりの額Ｚが０でない場合、ユーザの入力を受け付け、必要であれば、Ｃ１＋Ｃ２＋…＋Ｃｎ＝Ｚとなるように、Ｃ１、Ｃ２、…、Ｃｎを入力させた後に、価値情報Ｙ１を、価値情報Ｃ１に書き換え、価値情報Ｙ２を、価値情報Ｃ２に書き換え、…のように、上記ＩＣリーダ／ライタ２２を介して、各上記コイン内のＩＣチップのデータ用メモリを書き換え、電子的価値移行装置の価値情報Ｑについて、支払い代金Ｘを加算したものを、新たな価値情報Ｑとして記録する手順であることを特徴とするプログラム。
【請求項７】
ＩＣチップを内蔵するコインに設けられているＩＣチップ内の情報を、ＩＣリーダ／ライタが読み取り、書き込む手順と；
上記コインを、コイン認証手段が認証するコイン認証手順と；
上記認証手段が、上記コインは真正でないと判断すると、コイン投入／排出口から上記コインを排出し、上記コインは真正であると認証すると、上記コインに設けられている上記ＩＣチップのデータ用メモリに記録されている価値情報を、上記ＩＣリーダ／ライタが読み取り、所定のメモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御手順と；
おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定手順と；
をコンピュータに実行させるプログラムを記録したコンピュータ読取可能な記録媒体。
【請求項８】
請求項７において、
上記制御手順は、
投入されている上記コインの価値移行後における価値情報を、Ｃ１、Ｃ２、…、Ｃｎとし、価値情報Ｃ１に、おつりの額Ｚを与え、価値情報Ｃ２、…、Ｃｎには、０を与え、上記おつりの額Ｚが０でない場合、ユーザの入力を受け付け、必要であれば、Ｃ１＋Ｃ２＋…＋Ｃｎ＝Ｚとなるように、Ｃ１、Ｃ２、…、Ｃｎを入力させた後に、価値情報Ｙ１を、価値情報Ｃ１に書き換え、価値情報Ｙ２を、価値情報Ｃ２に書き換え、…のように、上記ＩＣリーダ／ライタ２２を介して、各上記コイン内のＩＣチップのデータ用メモリを書き換え、電子的価値移行装置の価値情報Ｑについて、支払い代金Ｘを加算したものを、新たな価値情報Ｑとして記録する手順であることを特徴とする記録媒体。
【発明の詳細な説明】
【技術分野】
【０００１】
本発明は、貨幣価値を電子的に記録した媒体を持ち運び、支払い等を行うキャッシュレスな取引システムにおいて、価値情報が記録されている媒体の間で、価値情報を移行する方法、プログラム、装置、記憶媒体に関する。
【背景技術】
【０００２】
貨幣価値が電子的に記録され、持ち運ぶ媒体であって、商品の購入や運賃支払いに利用できるものとして、磁気カード、ＩＣカード、電子マネー等が知られている。これらは、携帯性が優れ、小銭等を扱う現金でのやり取りの場合よりも、支払いが迅速かつ簡単であるという利点があり、今では多くの人に広く利用されている。
【０００３】
しかし、一方では、現金のように柔軟に、気軽に利用できないという不便な点も存在する。たとえば、現金の場合、札やコインには、所有者の情報等が含まれていないので、それらを使って支払う人が誰であるのか、また札やコインがどのような経緯を辿ってきたものか等の属性が明らかになることは、ほとんどなく、現金による取引には、匿名性がある。したがって、通常、人から人へ現金を受け渡したり、現金で支払いをする際に、札やコインの属性について意識することがほとんどなく、気軽に受け渡ししている。
【０００４】
ところが、カードシステムでは、特に、ＩＣカードの場合、カード毎に、システム内のＩＤ番号が振られ、そのカードのＩＤ番号に基づいて、購入場所や金額等の利用履歴を追跡調査することができるので、匿名性や気軽さの点から、カードの利用を憚ることが考えられる。
【０００５】
また、電子マネーに用いられるＩＣカードには、決済を行う銀行口座の情報が含まれている等、カードの属人性、カードが持つ情報のプライバシの度合いが高いので、ＩＣカードそのものの貸し借りや譲渡を行うことには問題がある。
【０００６】
ところで、ネットワーク上のサーバに接続し、ＩＣカードまたはＩＣチップを搭載した情報処理端末間で、各ＩＣカードまたはＩＣチップに電子的に記録されている価値情報を安全に移動する技術が提案されている（たとえば、特許文献１参照）。
【０００７】
たとえば、電子マネーに用いられるＩＣカードまたはＩＣチップの場合、銀行口座の情報や暗証番号等、セキュリティレベルの高い情報を扱うことが多く、安全に通信・処理を行うことは必要不可欠であるが、このようにネットワークを介したシステムでは、構築や通信にコストがかかるという側面がある。
【特許文献１】特開２００３−１４１４２９号公報
【発明の開示】
【発明が解決しようとする課題】
【０００８】
上記従来例では、利用者にとっては、ネットワーク上のサーバと通信を行うことに、不安を感じる可能性があり、操作を面倒に思う可能性があるという問題がある。
【０００９】
たとえば、価値情報を移動しようとする相手が、たとえ自分のすぐそばにいる家族や親しい友人等であっても、また移動しようとする価値がたとえ少額であっても、ネットワークに接続して処理を行う必要があり、日常的な利用シーンを考えると、手軽な方法とは言い難いという問題がある。
【００１０】
また、上記従来例では、一般に広く利用されているプリペイド型の磁気カードやｌＣカードシステムにおいては、同種のカード間であっても、カード内に電子的に記憶されている価値をやり取りすることはできないという問題がある。
【００１１】
たとえば、自分が十分な残高のあるカードを持っているときに、たとえ相手が家族や親しい友人であっても、現金のように自分の持つ残高を相手に分け与えることはできない。カードそのものを相手に与え、ある期間だけ貸与して解決することは可能であるが、自分がカードを利用できなくなる他、上記のようにカードに属するプライバシ情報の問題もあるので、利用の柔軟性という点で改善の余地がある。
【００１２】
本発明は、現金のように属人性がなく、人から人への受け渡しを手軽に行うことが可能であり、価値の分割や統合を利用者が自由に行うことができ、利用者にとってさらに柔軟なキャッシュレスな取引システムを提供することができる電子的価値移行装置、電子的価値移行方法、プログラムおよび記録媒体を提供することを目的とするものである。
【課題を解決するための手段】
【００１３】
本発明は、ＩＣチップを内蔵するコインを投入／排出するコイン投入／排出口と、上記コインに設けられている上記ＩＣチップ内の情報を読み取り、書き込むＩＣリーダ／ライタと、上記コインを認証するコイン認証手段と、所定のメモリと、ディスプレイと、上記認証手段が、上記コインは真正でないと判断すると、上記コイン投入／排出口から上記コインを排出し、上記コインは真正であると認証すると、上記コインに設けられている上記ＩＣチップのデータ用メモリに記録されている価値情報を読み取り、上記メモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御手段と、おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定手段とを有することを特徴とする電子的価値移行装置である。
【発明の効果】
【００１４】
本発明によれば、貨幣価値が電子的に記録された複数の媒体の間で、利用者が価値の移行を簡単に行うことができ、現金のように柔軟に使うことができ、利用者にとって、より使い勝手のよいキャッシュレスな取引システムを提供することができるという効果を奏する。
【００１５】
また、本発明によれば、価値を電子的に記録する媒体は、真正性を確認するためのプログラムの他には、利用者に関する情報や利用履歴等の属性情報を持たないので、匿名性が高く、決済や譲渡に際して、利用者のプライバシを保護することができ、電子的な貨幣価値のもつ携帯性や利便性等の利点と、現金のもつ手軽さを同時に実現することができるという効果を奏する。
【発明を実施するための最良の形態】
【００１６】
発明を実施するための最良の形態は、以下の実施例である。
【実施例１】
【００１７】
図１は、本発明の実施例１であるコイン１０と、出納装置２０とを示すブロック図である。
【００１８】
コイン１０は、コイン型の筐体に、ＣＰＵとメモリとを持つＩＣチップ１１を内蔵し、上記メモリは、読み取り専用のプログラム用メモリと、読み取り・書き込みともに可能なデータ用メモリとで構成されている。上記プログラム用メモリには、真正性を確認する認証プログラムが格納され、上記データ用メモリには、価値情報が格納されている。
【００１９】
出納装置２０は、電子的価値移行装置の一例であり、コイン投入／排出ロ２１と、ＩＣリーダ／ライタ２２と、制御部２３と、記憶装置２４と、入力インタフェース２５と、ディスプレイ２６とを有する。
【００２０】
コイン投入／排出ロ２１は、コイン１０を投入／排出する口である。ＩＣリーダ／ライタ２２は、コイン１０内のＩＣチップ１１の情報を読み取り、また、書き込む。記憶装置２４は、価値情報を格納する。入力インタフェース２６は、メニュー選択や金額設定のためのボタン、テンキー等によって構成されている。
【００２１】
システムの利用者は、出納装置２０に、何枚かのコイン１０を投入し、コイン１０同士の間での価値のやり取り、または、コイン１０と出納装置２０との間での価値のやり取りをする。なお、出納装置２０に、一度に投入できるコイン１０の枚数には、制限があるものとする。
【００２２】
実施例１は、店舗等で支払いする場合に、コイン１０と出納装置２０とを利用する例である。
【００２３】
ｎ枚のコイン１０のそれぞれが価値Ｙ１、Ｙ２、…、Ｙｎをもつ場合、所定の購入者が、上記ｎ枚のコイン１０によって、価値Ｘを支払う場合の動作について説明する。
【００２４】
図２は、実施例１において、ｎ枚のコイン１０のそれぞれが価値Ｙ１、Ｙ２、…、Ｙｎをもつ場合、所定の購入者が、上記ｎ枚のコイン１０によって、価値Ｘを支払う場合の動作を示すフローチャートである。
【００２５】
まず、支払いを受ける店舗の従業員等が出納装置２０の操作者であり、入力インタフェース２５に設けられているテンキーやキーボード等によって、購入金額Ｘを出納装置２０に入力する（Ｓ１）。
【００２６】
次に、購入者から受け取ったｎ枚のコイン１０を出納装置２０に投入すると（Ｓ２）、ＩＣリーダ／ライタ２２が、上記ｎ枚のコイン１０に内蔵されているＩＣチップ１１内の情報を読み取り、ＩＣチップ１１内のＣＰＵが、プログラム用メモリに格納されている認証プログラムを実行し、各コイン１０の真正性を確認する（Ｓ３）。ｎ枚のコイン１０のうちのいずれかが真正でないと判断されると（Ｓ４）、ｎ枚のコイン１０の全てを排出し（Ｓ１４）、処理を終了する。各コイン１０が正常に認証された場合（Ｓ４）、ｎ枚のコイン１０のそれぞれに内蔵されているＩＣチップ１１のデータ用メモリに記録されている価値情報を読み取り、出納装置２０内の記憶装置２４に一時保存する（Ｓ５）。
【００２７】
次に、ｎ枚のコイン１０の価値情報の合計Ｙと、購入者へ渡すべきおつりの額Ｚとを計算し、この計算されたおつりの額Ｚと、次の処理に移るための操作メニューのＯＫキーとを、ディスプレイ２６に表示する（Ｓ６）。
【００２８】
図３は、実施例１において、ｎ枚のコイン１０の価値情報の合計Ｙと、購入者へ渡すおつりの額Ｚと、次の処理に移るための操作メニュー（ＯＫキー）とが、ディスプレイ２６に表示されている画面表示例を示す図である。
【００２９】
なお、図３に示す実施例１において、ｎ＝３であり(コイン１０は３枚であり)、また、図３に記載されている（１）は、１つ目のコイン、（２）は、２つ目のコイン、（３）は、３つ目のコインを示す。
【００３０】
操作者が、次の処理に移るためのＯＫキーを選択すると（Ｓ７）、コイン１０と出納装置２０とにおける価値情報を書き換える第１段階として、支払い終了後における各コイン１０の価値情報を指定する。出納装置２０に投入されている各コイン１０における支払い終了後の価値情報Ｃ１、Ｃ２、…、Ｃｎのうちで、価値情報Ｃ１に、おつりの額Ｚを与え、その他の価値情報Ｃ２、…、Ｃｎには、０を与える（Ｓ８）。
【００３１】
図４は、実施例１において、支払終了後の各コインの価値情報を指定する初期画面の表示例を示す図である。
【００３２】
おつりが発生しない場合（おつり額Ｚ＝０である場合）（Ｓ９）、ｎ枚のコイン１０のそれぞれの価値情報Ｃ１〜Ｃｎは、全て０になるので、後述する価値情報の書き換え処理に移る（Ｓ１３）。おつりが発生する場合でも、操作者がそのままでよいと判断し、次の処理に移るためのＯＫキーを選択すると、上記の場合と同様に、価値情報の書き換え処理に移行する（Ｓ１３）。
【００３３】
一方、支払い終了後のコイン１０における価値情報Ｃ１、Ｃ２、…、Ｃｎを指定する場合、操作者は、テンキーやキーボード等の入力インタフェース２５を用い、価値情報を入力する（Ｓ１１）。
【００３４】
たとえば、購入者が、￥１００のおつりを受け取る場合、￥１００の価値情報を持つコイン１０を１枚受け取ることを希望するのではなく、￥５０の価値情報をもつコイン１０を２枚、受け取りたいとの要求があれば、￥１００となっている価値情報Ｃ１の値として、￥５０を入力し、￥０となっている価値情報Ｃ２の値として、￥５０を入力する（Ｓ１１）。このときに、価値情報Ｃ１、Ｃ２、…、Ｃｎの合計が、おつり額Ｚと等しくなるようにすべきであり（Ｓ１０）、また、予め設定されたコイン１０の１枚あたりの最低価値または最高価値等に応じて、操作者の入力する価値情報を制御する。
【００３５】
また、出納装置２０に投入可能なコイン１０の最大数を超えない範囲で、価値情報が０である別のコイン１０を新たに投入し、これに価値情報を付加するようにしてもよい。
【００３６】
支払い終了後における各コイン１０の価値情報Ｃ１、Ｃ２、…、Ｃｎを指定する操作が終わり、次の処理に移るためのＯＫキーを、操作者が選択すると（Ｓ１２）、各コイン１０と出納装置２０とにおける価値情報の書き換え処理を行う（Ｓ１３）。
【００３７】
各コイン１０の価値情報については、Ｙ１（価値移行する前の価値）を、価値情報Ｃ１（価値移行した後における価値）に書き換え、Ｙ２を、価値情報Ｃ２に書き換え、…というように、ＩＣリーダ／ライタ２２を介して、各コイン１０内のＩＣチップ１１のデータ用メモリを書き換え、出納装置２０の価値情報Ｑについて、支払い代金Ｘを加算した値を、新たな価値情報Ｑとして記録する。
【００３８】
最後に、ｎ枚のコイン１０を排出し（Ｓ１４）、一連の処理を終了する。これらの処理の結果、価値情報が０に変化し、排出されたコイン１０を、購入者が持ち帰ってもよく、店舗が回収してもよく、その後に、再利用され、流通することによって、コイン１０の属性を意識することなく、コイン１０を利用することができる。
【００３９】
なお、コイン１０の価値がいくらであるかは、ディスプレイ２６を見れば、分かるが、コイン１０の現在の価値を、そのコイン１０に印刷することによって、またはコイン１０に設けた液晶等の表示手段に表示する等によって、コイン１０の価値を視認できるようにしてもよい。
【００４０】
また、実施例１では、貨幣単位として￥を使用しているが、この代わりに、＄、£等、￥以外の貨幣単位を使用するようにしてもよい。
【実施例２】
【００４１】
本発明の実施例２は、家庭等においてコイン１０同士の間で価値を移行するときに、コイン１０と出納装置２０との間で価値を移行する場合の利用例である。
【００４２】
実施例２は、たとえば、価値情報が￥１０であるコイン１０と、価値情報が￥９０であるコイン１０との間で価値移行を行い、￥１００のコイン１０と、￥０のコイン１０とを新たに発行する場合や、価値情報￥０のコイン１０に、出納装置２０の価値￥１０００のうち、￥５００を移行する場合の実施例である。
【００４３】
実施例２において、出納装置２０の内部の記憶装置２４に格納されている価値情報がＱであり、価値情報がＡ、Ｂ、Ｃである３枚のコイン１０を、出納装置２０に投入したと仮定し、操作者の指示によって、コイン１０同士の間で価値を移行する処理、または、コイン１０と出納装置２０との間で価値を移行する処理について説明する。
【００４４】
図５は、実施例２において、出納装置２０の内部の記憶装置２４に格納されている価値情報がＱであり、価値情報がＡ、Ｂ、Ｃである３枚のコイン１０を、出納装置２０に投入したと仮定し、操作者の指示によって、コイン１０同士の間で価値を移行する処理、または、コイン１０と出納装置２０との間で価値を移行する処理を示すフローチャートである。
【００４５】
まず、出納装置２０に３枚のコイン１０を投入すると（Ｓ２１）、実施例１の場合と同様に、ＩＣリーダ／ライタ２２が、各コイン１０に内蔵されているＩＣチップ１１内の情報を読み取り、ＩＣチップ１１内のＣＰＵが、プログラム用メモリに格納されている認証プログラムを実行し、各コイン１０の真正性を確認する（Ｓ２２）。いずれかのコイン１０が真正でないと判断されれば（Ｓ２３）、投入されたコイン１０の全てを排出し（Ｓ３４）、処理を終了する。
【００４６】
正常に認証された場合（Ｓ２３）、各コイン１０に内蔵されているＩＣチップ１１のデータ用メモリに記録されている価値情報を読み取り、出納装置２０内の記憶装置２４に一時保存し（Ｓ２４）、３枚のコイン１０の価値情報Ａ、Ｂ、Ｃと、その合計Ｐと、出納装置２０内の記憶装置２４に記録されている価値情報Ｑと、投入されているコイン１０に対する次の操作メニュー（「価値を移行」キー、終了キー）とを、ディスプレイ２６に表示し（Ｓ２５）、利用者の選択を受け付ける。
【００４７】
図６は、実施例２において、３枚のコイン１０の価値情報Ａ、Ｂ、Ｃと、その合計Ｐと、出納装置２０内の記憶装置２４に記録されている価値情報Ｑと、投入されているコイン１０に対する次の操作メニュー（「価値を移行」キー、終了キー）とを、ディスプレイ２６に表示している画面表示例を示す図である。
【００４８】
投入されているコイン１０に対して、このまま何もしない場合（Ｓ２６）、操作者は、ディスプレイ２６に表示されている終了キーを選択し、この終了キーの選択によって、コイン１０が排出され（Ｓ３４）、処理を終了する。一方、投入されているコイン１０の価値を移行する場合、利用者は、ディスプレイ２６上の「価値を移行」キーを選択し（Ｓ２６）、移行する価値情報を指定する。
【００４９】
図７は、実施例２において、移行する価値情報を指定する場合における初期画面の表示例を示す図である。
【００５０】
価値情報が移行した後におけるコイン１０の価値情報Ｘ、Ｙ、Ｚは、それぞれ０とする（Ｓ２７）。利用者は、入力インタフェース２５に設けられているボタンやテンキー等によって、移行後のコイン１０の価値情報を入力する（Ｓ２９）。なお、価値移行の最小単位や、コイン１０の１枚について設定できる最高価値等を、予め設定し、利用者の入力する価値情報を制御するようにしてもよい。
【００５１】
図８は、実施例２において、コイン１０の価値情報を移行させるために、移行後の価値情報を入力した直後の状態を表す画面表示例を示す図である。
【００５２】
利用者が、コイン１０における移行後の価値情報を入力すると、３枚のコイン１０における価値移行前の価値情報の合計Ｐと、３枚のコイン１０における価値移行後の価値情報の合計Ｒとの差Ｓ（＝Ｐ−Ｒ）を計算する（Ｓ２８）。
【００５３】
Ｓ≧０である場合（つまり、移行前のコイン１０の３枚の合計Ｐが、移行後のコイン１０の３枚の合計Ｒよりも多いか、または、移行前後の合計額が同じである場合）（Ｓ３０）、ディスプレイ２６に表示されているＯＫキーを、利用者が選択すると（Ｓ３２）、各コイン１０と出納装置２０内とに、価値情報を書き込む次の処理へ移り、一方、戻るキーを選択すると(Ｓ３２)、移行後のコイン１０の価値情報Ｘ、Ｙ、Ｚを、それぞれ０とし（Ｓ２７）、新たに利用者の価値情報の入力を、再度、受け付ける（Ｓ２９）。
【００５４】
上記計算の結果、Ｓ＜０である場合(Ｓ３０)、移行後のコイン１０の３枚の合計Ｒが、移行前の合計Ｐよりも多いので、出納装置２０内の価値情報Ｑと、上記差Ｓとの絶対値を互いに比較し、超過した分を、出納装置２０内に記録されている価値情報で対応可能であるかどうかを判断する。
【００５５】
Ｑ＜｜Ｓ｜である場合(Ｓ３１)、つまり、出納装置２０内の価値情報が不足し、対応できない場合、移行後のコイン１０の価値情報Ｘ、Ｙ、Ｚを、０とし(Ｓ２７)、再び価値情報を入力する処理に戻る(Ｓ２９)。
【００５６】
出納装置２０内の価値情報によって、超過した分を対応可能な場合（Ｑ≧｜Ｓ｜）（Ｓ３１）、ディスプレイ２６に表示されているＯＫキーを、利用者が選択すると（Ｓ３２）、各コイン１０と出納装置２０内とに、価値情報を書き込む処理に移る。
【００５７】
ここでは、出納装置２０内のＩＣリーダ／ライタ２２を経由し、３枚のコイン１０の価値情報Ａ、Ｂ、Ｃを、それぞれＸ、Ｙ、Ｚに書き換え、また、出納装置２０内の記憶装置２４に保存されている価値情報Ｑに、移行前後でのコイン１０の３枚の価値の合計の差Ｓを足したものを、新たな価値情報Ｑとして保存する（Ｓ３３）。最後に、３枚のコイン１０を排出し（Ｓ３４）、価値移行の処理を終了する。
【００５８】
上記実施例によれば、認証された真正なコイン１０について、コイン１０同士の間と、コイン１０と出納装置２０との間において、互いの価値の一部または全ての移行を、利用者の簡単な入力操作によって実現することができる。
【００５９】
なお、上記実施例をプログラムの発明として把握することできる。つまり、上記実施例は、ＩＣチップを内蔵するコインに設けられているＩＣチップ内の情報を、ＩＣリーダ／ライタが読み取り、書き込む手順と、上記コインを、コイン認証手段が認証するコイン認証手順と、上記認証手段が、上記コインは真正でないと判断すると、コイン投入／排出口から上記コインを排出し、上記コインは真正であると認証すると、上記コインに設けられている上記ＩＣチップのデータ用メモリに記録されている価値情報を、上記ＩＣリーダ／ライタが読み取り、所定のメモリに一時保存し、投入されたｎ枚の上記コインの価値情報Ｙ１、Ｙ２、…、Ｙｎの合計Ｙと、購入者へ渡すおつりの額Ｚとを計算し、この計算結果を表示する制御手順と、おつりを渡すときに、上記投入されたｎ枚のコインの価値情報の合計が、おつりの額Ｚと同じ価値情報になるように、上記投入されたｎ枚のコインのそれぞれに、価値情報を設定する価値情報設定手順とをコンピュータに実行させるプログラムの例である。
【００６０】
この場合、上記制御手順は、投入されている上記コインの価値移行後における価値情報を、Ｃ１、Ｃ２、…、Ｃｎとし、価値情報Ｃ１に、おつりの額Ｚを与え、価値情報Ｃ２、…、Ｃｎには、０を与え、上記おつりの額Ｚが０でない場合、ユーザの入力を受け付け、必要であれば、Ｃ１＋Ｃ２＋…＋Ｃｎ＝Ｚとなるように、Ｃ１、Ｃ２、…、Ｃｎを入力させた後に、価値情報Ｙ１を、価値情報Ｃ１に書き換え、価値情報Ｙ２を、価値情報Ｃ２に書き換え、…のように、上記ＩＣリーダ／ライタ２２を介して、各上記コイン内のＩＣチップのデータ用メモリを書き換え、電子的価値移行装置の価値情報Ｑについて、支払い代金Ｘを加算したものを、新たな価値情報Ｑとして記録する手順である。
【００６１】
また、上記プログラムを、ＣＤ、ＭＤ、ＤＶＤ、ＨＤ、半導体メモリ等の記録媒体に記録するようにしてもよい。
【図面の簡単な説明】
【００６２】
【図１】本発明の実施例１であるコイン１０と、出納装置２０とを示すブロック図である。
【図２】実施例１において、ｎ枚のコイン１０のそれぞれが価値Ｙ１、Ｙ２、…、Ｙｎをもつ場合、所定の購入者が、上記ｎ枚のコイン１０によって、価値Ｘを支払う場合の動作を示すフローチャートである。
【図３】実施例１において、ｎ枚のコイン１０の価値情報の合計Ｙと、購入者へ渡すおつりの額Ｚと、次の処理に移るための操作メニュー（ＯＫキー）とが、ディスプレイ２６に表示されている画面表示例を示す図である。
【図４】実施例１において、支払終了後の各コインの価値情報を指定する初期画面の表示例を示す図である。
【図５】実施例２において、出納装置２０の内部の記憶装置２４に格納されている価値情報がＱであり、価値情報がＡ、Ｂ、Ｃである３枚のコイン１０を、出納装置２０に投入したと仮定し、操作者の指示によって、コイン１０同士の間での価値を移行する処理、または、コイン１０と出納装置２０との間での価値を移行する処理を示すフローチャートである。
【図６】実施例２において、３枚のコイン１０の価値情報Ａ、Ｂ、Ｃと、その合計Ｐと、出納装置２０内の記憶装置２４に記録されている価値情報Ｑと、投入されているコイン１０に対する次の操作メニュー（「価値を移行」キー、終了キー）とを、ディスプレイ２６に表示している画面表示例を示す図である。
【図７】実施例２において、移行する価値情報を指定する場合における初期画面の表示例を示す図である。
【図８】実施例２において、コイン１０の価値情報を移行させるために、移行後の価値情報を入力した直後の状態を表す画面表示例を示す図である。
【符号の説明】
【００６３】
１０…コイン、
１１…ＩＣチップ、
２０…出納装置、
２１…コイン投入／排出口、
２２…ＩＣリーダ／ライタ、
２３…制御部、
２４…記憶装置、
２５…入力Ｉ／Ｆ、
２６…ディスプレイ。
【図１】
2005338939.tif 000003
【図２】
2005338939.tif 000004
【図３】
2005338939.tif 000005
【図４】
2005338939.tif 000006
【図５】
2005338939.tif 000007
【図６】
2005338939.tif 000008
【図７】
2005338939.tif 000009
【図８】
2005338939.tif 000010